(57)【要約】【課題】製造が容易で意匠性に優れた透過型スクリーンを提供する。【解決手段】入光面側から入射した映像光を出光面側に透過させる、複数の層が積層された積層体を有する透過型スクリーンであって、積層体は一方の面側に凸となるように湾曲した部分を有しており、積層体が、出光面側から、ハードコート層と、レンチキュラーレンズ部を有するレンチキュラーレンズ層と、該レンチキュラーレンズ部の表面に沿って形成された、光を拡散させる拡散層と、を備える、透過型スクリーンとする。【選択図】図３
2014199316.tif 000002
【特許請求の範囲】
【請求項１】
入光面側から入射した映像光を出光面側に透過させる、複数の層が積層された積層体を有する透過型スクリーンであって、
前記積層体は一方の面側に凸となるように湾曲した部分を有しており、
前記積層体が、前記出光面側から、
ハードコート層と、レンチキュラーレンズ部を有するレンチキュラーレンズ層と、該レンチキュラーレンズ部の表面に沿って形成された、光を拡散させる拡散層と、を備える、透過型スクリーン。
【請求項２】
前記積層体の前記入光面側に、フレネルレンズ部を有するフレネルレンズシートを備えている、請求項１に記載の透過型スクリーン。
【請求項３】
請求項１または２に記載の透過型スクリーンと、
前記透過型スクリーンの前記入光面側に配置された映像光源と、を備えた、リアプロジェクション表示装置。
【請求項４】
前記レンチキュラーレンズ部を構成する単位レンズが水平方向に並列されている、請求項３に記載のリアプロジェクション表示装置。
【請求項５】
前記レンチキュラーレンズ部を構成する単位レンズが鉛直方向に並列されている、請求項３に記載のリアプロジェクション表示装置。
【請求項６】
請求項５に記載のリアプロジェクション表示装置を備え、
前記リアプロジェクション表示装置が、出光面を車内から視認可能なように配置されている、自動車。
【発明の詳細な説明】
【技術分野】
【０００１】
本発明は、背面側から投射された映像光を観察者側に透過して提供するための曲面を有する透過型スクリーン、該透過型スクリーンを備えるリアプロジェクション表示装置、及び該リアプロジェクション表示装置を備えた自動車に関する。
【背景技術】
【０００２】
従来、映像を表示可能な多様な表示装置が種々のシステムに組み込まれてきた。昨今では、表示装置が適用されるシステムの分野がさらに広がり、広く生活に関連するシステムにも表示装置が組み込まれるようになってきている。例えば自動車やアミューズメント機器といった、意匠性が非常に重要視される分野にも、表示装置が適用されるようになってきた。このような分野に適用される表示装置には、単に映像を表示する機能が期待されるだけでなく、システム全体との意匠性の観点からの調和も要求される。
【０００３】
特許文献１には、三次元曲面をなすように形成することで意匠性を向上した透過型スクリーンの製造方法が開示されている。
【先行技術文献】
【特許文献】
【０００４】
【特許文献１】特開２０１２−１５９６４７号公報
【発明の概要】
【発明が解決しようとする課題】
【０００５】
しかしながら、特許文献１に開示されている透過型スクリーンは、該透過型スクリーンに備えられた光学機能層が複雑な構造を有していることによって、透過型曲面スクリーンの製造工程が複雑になる問題があった。また、当該光学機能層が複雑な構造を有していることによって、曲面をなすように透過型スクリーンを曲げることが困難であるという問題もあった。
【０００６】
そこで本発明は上記問題点に鑑み、製造が容易で意匠性に優れた透過型スクリーン、該透過型スクリーンを備えたリアプロジェクション表示装置、及び該リアプロジェクション表示装置を備えた自動車を提供することを課題とする。
【課題を解決するための手段】
【０００７】
以下、本発明について説明する。
【０００８】
請求項１に記載の発明は、入光面側から入射した映像光を出光面側に透過させる、複数の層が積層された積層体を有する透過型スクリーンであって、積層体は一方の面側に凸となるように湾曲した部分を有しており、積層体が、出光面側から、ハードコート層と、レンチキュラーレンズ部を有するレンチキュラーレンズ層と、該レンチキュラーレンズ部の表面に沿って形成された、光を拡散させる拡散層と、を備える、透過型スクリーンである。
【０００９】
請求項２に記載の発明は、請求項１に記載の透過型スクリーンにおいて、積層体の入光面側に、フレネルレンズ部を有するフレネルレンズシートを備えている。
【００１０】
請求項３に記載の発明は、請求項１または２に記載の透過型スクリーンと、該透過型スクリーンの入光面側に配置された映像光源と、を備えた、リアプロジェクション表示装置である。
【００１１】
請求項４に記載の発明は、請求項３に記載のリアプロジェクション表示装置において、レンチキュラーレンズ部を構成する単位レンズが水平方向に並列されている。
【００１２】
請求項５に記載の発明は、請求項３に記載のリアプロジェクション表示装置において、レンチキュラーレンズ部を構成する単位レンズが鉛直方向に並列されている。
【００１３】
請求項６に記載の発明は、請求項５に記載のリアプロジェクション表示装置を備え、該リアプロジェクション表示装置が、出光面を車内から視認可能なように配置されている、自動車である。
【発明の効果】
【００１４】
本発明によれば、製造が容易で意匠性に優れた透過型スクリーン、該透過型スクリーンを備えたリアプロジェクション表示装置、及び該リアプロジェクション表示装置を備えた自動車を提供することができる。
【図面の簡単な説明】
【００１５】
【図１】１つの実施形態を説明する図であり、リアプロジェクション表示装置の構造を概念的に表した図である。
【図２】透過型スクリーンの斜視図である。
【図３】透過型スクリーンの層構成を説明する水平方向の断面図である。
【図４】フレネルレンズ部を説明する透過型スクリーンの正面図である。
【図５】透過型スクリーンの鉛直方向の断面図である。
【発明を実施するための形態】
【００１６】
本発明の上記した作用及び利得は、次に説明する発明を実施するための形態から明らかにされる。以下、本発明を図面に示す実施形態に基づき説明する。ただし、本発明はこれら実施形態に限定されるものではない。なお、以下に示す図面では分かりやすさのため部材の大きさや比率を誇張して記載することがある。また、見やすさのため繰り返しとなる符号は省略することがある。
【００１７】
図１は、１つの実施形態を説明する図であり、リアプロジェクション表示装置１（以下、「表示装置１」と記載することがある。）の内部構造の一部を概念的に表した図ある。
【００１８】
表示装置１は、透過型スクリーン１０を有しており、映像光源３から出射された映像光Ｉが透過型スクリーン１０を通じて観察者側に提供される。例えば表示装置１は、自動車のダッシュボード部に内蔵され、透過型スクリーン１０の観察者側面が車内に露出して配置され、観察者に映像を提供する。
図１からわかるように、表示装置１は、筐体２、映像光源３、及び透過型スクリーン１０を備えている。その他、図示は省略するが、表示装置１には表示装置として機能するための各種構成部材が備えられている。
【００１９】
筐体２は表示装置１の外殻を形成し、表示装置１を構成する部材の大部分をその内側に収める部材である。また筐体２は透過型スクリーン１０を支持可能な開口を有しており、該開口に透過型スクリーン１０が嵌め込まれて取り付けられている。
【００２０】
映像光源３は、筐体２内に配置されており、照射領域がしだいに広がっていく発散光として透過型スクリーン１０の入光面のほぼ全域に映像光を照射する。このような映像光源３としては従来公知な光源、例えばＤＭＤを用いた単管方式の光源を用いることができる。なお、本実施形態において、映像光源３は、透過型スクリーン１０の背面側（観察者側とは反対側）で、該透過型スクリーン１０の中央より下方に配置されている。
ここで、透過型スクリーン１０の入光面とは、透過型スクリーン１０の面のうち、映像光源３が配置された側の面を意味する。一方、透過型スクリーン１０の出光面とは、観察者側に向けられた面を意味する。
【００２１】
次に透過型スクリーン１０について説明する。図２は透過型スクリーン１０の斜視図、図３は図２にＩＩＩ−ＩＩＩで示した線に沿った水平方向における透過型スクリーン１０の厚さ方向断面で、層構成を模式的に表した図である。図１、図２からわかるように、透過型スクリーン１０は全体として板状であるが、その中央が観察者側に突出するような凸状の曲面に形成されている。これにより外観に優れたスクリーン、及びこれを備える表示装置を提供することができる。
【００２２】
本実施形態では観察者側に凸となる曲面を有する透過型スクリーン１０により説明する。ただし、凸となる位置は特に限定されることない。また、凸となる向きも限定されることなく背面側に凸（すなわち観察者側からみると凹）であってもよい。さらに、１つの透過型スクリーンで部位により凹凸の向きが変わるように構成されていてもよい。
【００２３】
図２、図３からわかるように、透過型スクリーン１０は、複数の層が積層されており、積層体１１及びフレネルレンズシート２１が厚さ方向に配列されている。以下詳しく説明する。
【００２４】
積層体１１は、出光面側から、ハードコート層１２、レンチキュラーレンズ１３層、および拡散層１７を備えており、これらが積層されている。
【００２５】
ハードコート層１２は、表面保護を目的として、透過型スクリーン１０のうち観察者側の最表面に設けられる層である。ハードコート層１２は透明な樹脂層として形成することができ、擦り傷、表面汚染に対する耐性の観点から、硬化性樹脂が硬化してなる樹脂硬化層として形成することが好ましい。
具体的には電離放射線硬化性樹脂、その他公知の硬化性樹脂等を要求性能に応じて適宜採用すればよい。電離放射線硬化性樹脂としては、アクリレート系、オキセタン系、シリコーン系等が挙げられる。例えば、アクリレート系の電離放射線硬化性樹脂は、単官能（メタ）アクリレートモノマー、２官能（メタ）アクリレートモノマー、３官能以上の（メタ）アクリレートモノマーなどの（メタ）アクリル酸エステルモノマー、ウレタン（メタ）アクリレート、エポキシ（メタ）アクリレート、ポリエステル（メタ）アクリレート等の（メタ）アクリル酸エステルオリゴマー乃至は（メタ）アクリル酸エステルプレポリマーなどからなる。さらに３官能以上の（メタ）アクリレートモノマーを例示すれば、トリメチロールプロパントリ（メタ）アクリレート、ペンタエリスリトールテトラ（メタ）アクリレート、ジペンタエリスリトールヘキサ（メタ）アクリレート等がある。
【００２６】
また、ハードコート層１２には、耐汚染性向上の機能を追加してもよい。これは例えばシリコーン系化合物、フッ素系化合物などを添加することにより可能となる。さらにその他の機能として帯電防止性向上、撥水性向上の機能を有するものとしてもよい。
帯電防止性向上のために用いることができる材料としては、電子伝導タイプではＰＥＤＯＴ−ＰＳＳ（ＰＥＤＯＴ（Ｐｏｌｙ（３，４−ｅｔｈｙｌｅｎｅｄｉｏｘｙｔｈｉｏｐｈｅｎｅ）；３，４−エチレンジオキシチオフェンポリマー）とＰＳＳ（ｐｏｌｙ（ｓｔｙｒｅｎｅｓｕｌｆｏｎａｔｅ）；スチレンスルホン酸ポリマー）とを共存）などが挙げられ、イオン導電タイプではリチウム塩系材料等が挙げられる。
また、撥水性向上のために用いることができる材料としては、フッ素系化合物等が挙げられる。
【００２７】
レンチキュラーレンズ１３層は、基部１４と基部１４の表面に形成されたレンチキュラーレンズ部１５とを有しており、レンチキュラーレンズ部１５は並列した複数の単位レンズ１６を有している。
【００２８】
基部１４は、レンチキュラーレンズ部１５を形成するためのベースとなる部分である。従って、基部１４は透光性を有し、レンチキュラーレンズ部１５を形成及び保持することができる程度に強度を有するように構成されている。このような基部１４を構成する材料の具体例としては、ポリエチレン、ポリプロピレン、ポリ塩化ビニル、ポリ塩化ビニリデン、ポリスチレン、エチレン−アクリル酸共重合体、エチレン−メタクリル酸共重合体、エチレン−酢酸ビニル共重合体、エチレン−酢酸ビニル共重合体ケン化物、エチレン−α−オレフィン共重合体エラストマー、酸変性ポリオレフィン、スチレン−ブタジエン−アクリロニトリル共重合体、ポリアミド、ポリカーボネート、ポリスルホン、ポリアセタール、ポリメチルメタクリレート、ポリフェニレンオキシド、ポリウレタン、ポリエチレンテレフタレート（略称として「ＰＥＴ」と記載することがある。）、ポリブタジエンテレフタレート、ナイロン等の単体、又は混合体（共押出フィルム等）、及びラミネート品等を挙げることができる。
【００２９】
基部１４の厚さ（レンチキュラーレンズ層１３のレンチキュラーレンズ部１５を除いた部分の厚さ。すなわちレンチキュラーレンズ層１３の最も薄い部分の厚さ。）は特に限定されるものではないが、通常３０μｍ以上２００μｍ以下であり、３０μｍ程度が好ましい。
【００３０】
また、基部１４は、使用する材料により態様が異なり、特に限定されるものではないが、ＰＥＴを用いることが好ましく、その屈折率は１．６０程度である。
【００３１】
レンチキュラーレンズ部１５は、基部１４の光源側に配置される。そして、該光源側を凸に、垂直方向を長手方向にした複数の単位レンズ１６が水平方向に並列されている。単位レンズ１６は通常のレンチキュラーレンズを用いることができる。例えば、高さ（厚さ）が２０μｍ以上１００μｍ以下程度の単位レンズ１６を５０μｍ以上２５０μｍ以下程度のピッチで並列することにより、レンチキュラーレンズ部１５を形成することができる。
【００３２】
単位レンズ１６には光を透過させることできる材料が適用される。これには例えばポリ塩化ビニル、アクリル樹脂（ＰＭＭＡ等）、ポリスチレン、ポリカーボネート等の熱可塑性樹脂や、不飽和ポリエステル、メラミン、エポキシ、ポリエステル（メタ）アクリレート、ウレタン（メタ）アクリレート、エポキシ（メタ）アクリレート、ポリエーテル（メタ）アクリレート、ポリオール（メタ）アクリレート、メラミン（メタ）アクリレート、トリアジン系アクリレート等の熱硬化性樹脂を挙げることができる。また、それぞれ単独、又は上記熱可塑性樹脂と熱硬化性樹脂とを混合して使用することができる。
単位レンズ１６の屈折率は、１．４以上１．６以下程度であることが好ましい。
【００３３】
以上のような構成のレンチキュラーレンズ層１３を備えることによって、後述するようにフルネルレンズシート２１を透過して観察者側（正面方向）に平行または平行に近づくように収束された映像光がレンチキュラーレンズ１５によって結像されるとともに単位レンズ１６の並列方向（本実施形態では水平方向）に拡散され、視野角が広がった映像を観察者に提供することができる。
【００３４】
拡散層１７は、レンチキュラーレンズ部１５の表面に沿って形成された層である。光拡散層１７は透過した光を拡散させる機能を有する層である。具体的には、光拡散層１７は、透明樹脂からなるベース部と該ベース部に分散された拡散成分とを有している。そして光拡散層１７は、ベース部と拡散成分との間の屈折率差に起因して、又は拡散成分自体が有する反射性に起因して光を拡散させることができる。光拡散層１７のこの機能により映像光が拡散され所定の視野角を得ることができる。
【００３５】
光拡散層１７のベース部を形成する透明樹脂としては例えば、メチルメタクリレート・ブタジエン・スチレン共重合体（ＭＢＳ）、アクリル樹脂、ポリカーボネート樹脂等を用いることができる。
一方、拡散成分としては、プラスチックビーズ等の有機フィラーが好適であり、特に透明度が高いものが好ましい。プラスチックビーズとしては、メラミンビーズ、アクリルビーズ、アクリル−スチレンビーズ、ポリカーボネートビーズ、ポリエチレンビーズ、ポリスチレンビーズ、塩化ビニルビーズ等を挙げることができる。この中でもアクリルビーズが好ましい。また、拡散成分を気泡で構成することもできる。
【００３６】
光拡散層１７の厚さは０．１ｍｍ以上２．０ｍｍ以下であることが好ましく、０．２ｍｍ以上１．５ｍｍ以下であることがより好ましい。光拡散層１７の厚さが０．１ｍｍより薄くなると光の拡散効果を十分に得られない虞がある。一方、光拡散層１７の厚さが２．０ｍｍを超えると映像がぼやけてしまう可能性がある。
【００３７】
次にフレネルレンズシート２１について説明する。フレネルレンズシート２１は、積層体１１の入光面側に配置されており、積層体１１と同じ方向に凸となるように湾曲していることが好ましい。また、フレネルレンズシート２１は基部２２、および基部２２の表面に形成されたフレネルレンズ部２３を備えている。図４にはフレネルレンズ部２３を説明するために透過型スクリーン１０を正面視したときの形態を模式的に示した。
【００３８】
基部２２はフレネルレンズ部２３を形成するためのベースとなる部分である。従って、基部２２は透光性を有し、フレネルレンズ部２３を形成及び保持することができる程度に強度を有するように構成されている。基部２２を構成する材料の具体例としては、ポリカーボネートやシクロオレフィン、ＴＡＣ（トリアセチルセルロース（Ｔｒｉａｃｅｔｙｌｃｅｌｌｕｌｏｓｅ））などのフィルムを挙げることができる。これらの中で、入手の容易性、コスト等の観点から、ポリカーボネートが好ましい。ここでいうポリカーボネートは、ポリカーボネートを主ポリマーとするもので、たとえば劣化防止剤、可塑剤、軟化剤等の充填剤を含む、あるいはメタアクリル樹脂等との複合体であっても良い。
【００３９】
基部２２の厚さ（フレネルレンズシート２１のフレネルレンズ部２３を除いた部分の厚さ。すなわちフレネルレンズシート２１の最も薄い部分の厚さ。）は、１ｍｍ以上２ｍｍ以下であることが好ましい。基部２２の厚さを１ｍｍ以上とすることによって、フレネルレンズシート２１に十分な剛性を付与しやすくなる。一方、基部２２の厚さを２ｍｍ以下とすることによって、透過型スクリーン１０の厚さが厚くなり過ぎる、映像光の透過率が低下する、ゴースト（二重像）が発生する等の不具合を防止しやすくなる。
【００４０】
フレネルレンズ部２３は、映像光源３から発散光束として透過型スクリーン１０に投射される映像光の進行方向を偏向させる機能を有している。具体的には、フレネルレンズ部２３は、発散光束として入射した映像光を、映像光入射側から映像光出射側へ向けて進む平行光束、例えば正面方向へ進む平行光束に変換する。このようにフレネルレンズ部２３を用いて映像光を一旦平行光束にしておくことにより、観察者に観察される映像、とりわけ、観察者によって斜め方向から観察される映像の明るさの内面ばらつきを効果的に緩和させることができる。
【００４１】
図４からわかるように、本実施形態のフレネルレンズ部２３はいわゆるサーキュラーフレネルレンズである。従って、複数の単位レンズ２４のそれぞれの長手方向は、所定の半径を有した円弧状に延びており、隣接する単位レンズ２４とは同心円をなすように配列されている。各単位レンズ２４の断面形状はその目的に応じて適宜公知のものを用いることができる。
本実施形態では、単位レンズ２４は水平方向に関しては該水平方向における中心位置を通る鉛直方向線Ａに対して線対称となっている。一方、鉛直方向に関しては単位レンズ２４が配列される同心円の中心Ｏが、鉛直方向線Ａ上で透過型スクリーン１０より下方となるような形態である。このように中心Ｏをフレネルレンズ部２３の中心から鉛直方向下方に偏心させることにより、透過型スクリーン１０の下方から映像光を投射したとしても、映像光源３からの発散光束を効率よく平行光束にすることができる。また、このように透過型スクリーンの下方から映像光を照射する構成によって、映像光源３を観察者側に近付けることができ、表示装置１を薄くすることができる。
【００４２】
ただし、これに限定されることはなく、同心円の中心がフレネルレンズ部内に存在するサーキュラーフレネルレンズや、単位レンズが水平又は鉛直に直線状に延び、当該延びる方向とは異なる方向に複数の単位レンズが配列されるリニアフレネルレンズを適用することを妨げるものではない。
【００４３】
フレネルレンズ部２３を構成する樹脂としては、アクリル樹脂、スチレン樹脂、ポリエステル樹脂、ポリカーボネート樹脂、アクリル−スチレン共重合体樹脂等の透明樹脂を挙げることができる。
また、透過型スクリーン１０のサイズが大きい場合には成形性の観点からエポキシアクリレートやウレタンアクリレート系の反応性樹脂（電離放射線硬化型樹脂等）を用いることができる。
【００４４】
以上説明した透過型スクリーン１０は例えば次のように作製することができる。フレネルレンズシート２１は、公知の方法により作製することができる。例えば基部２２上にフレネルレンズ部２３を賦型することによってフレネルレンズシート２１を作製できる。また、積層体１１は例えば以下のようにして作製できる。すなわち、レンチキュラーレンズ層１３および拡散層１７を共押出で形成し、後述するようにして湾曲させた後にハードコート層１２を形成することによって、積層体１１を作製できる。
【００４５】
ここで、レンチキュラーレンズ層１３および拡散層１７とフレネルレンズシート２１とを重ねる前に、レンチキュラーレンズ層１３および拡散層１７とフレネルレンズシート２１を予めそれぞれ湾曲させておく。湾曲させるための方法は特に限定されることはないが、例えば各シートをガラス転移点以上に加熱して軟化し、これを湾曲させるための型に沿わせてから冷却すること等を挙げることができる。このとき、レンチキュラーレンズ層１３および拡散層１７とフレネルレンズシート２１はそれぞれ簡単な構成のため、破損することなく湾曲させることが容易であり、大きく湾曲させることも容易である。レンチキュラーレンズ層１３および拡散層１７を湾曲させた後、レンチキュラーレンズ層１３の拡散層１７が形成された側とは反対側の表面にハードコート層１２を構成する樹脂をスプレーなどで塗布および硬化させることによって、ハードコート層１２を形成することができる。
【００４６】
以上のように形成した湾曲したフレネルレンズシート２１のフレネルレンズ部２３側に湾曲した積層体１１を配置し、両者の外縁を互いに枠体等で固定して位置決めを行い、曲面を有する透過型スクリーン１０を得ることができる。
【００４７】
上記のように、透過型スクリーン１０は複雑な工程を経ることなく容易に製造することができる。また、透過型スクリーン１０は湾曲した部分を備えていることによって、意匠性に優れた透過型スクリーンとすることができる。
【００４８】
以上説明した透過型スクリーン１０を備える表示装置１によれば、例えば次のように観察者に映像光を提供することができる。光路例を示しつつ説明する。ただし、ここで示す光路例は概念的なものであり、反射角や屈折角等を厳密に表したものではない。
【００４９】
図１に示したように、映像光源３から出射した映像光Ｌ１は、透過型スクリーン１０の入光面側に達する。
このようにして透過型スクリーン１０の入光面側に達した映像光は、図３および図５に映像光Ｌ３１、Ｌ３２で示したように、フレネルレンズシート２１のフレネルレンズ部２３の作用により観察者側（正面方向）に平行となるように偏向される。なお、図５は透過型スクリーン１０の鉛直方向の断面図である。
【００５０】
フレネルレンズシート２１内で偏向された映像光は、拡散層１７において等方的に拡散（拡散層１７において拡散される度合いはレンチキュラーレンズ層１３における拡散に比べて小さいため、図では省略している。）しつつ透過した後、レンチキュラーレンズ層１３に達する。レンチキュラーレンズ層１３では、図３に映像光Ｌ３１、Ｌ３２で示したようにレンチキュラーレンズ部１５で拡散され、正面に対して水平方向の視野角を広げる向きで映像光が出射される。
【００５１】
なお、図示した形態では、レンチキュラーレンズ部１５の単位レンズ１６が水平方向に並列されているため、上記のように映像光を水平方向に拡散させて水平方向の視野角を広げることができるが、レンチキュラーレンズ部の単位レンズが鉛直方向に並列されている形態とすれば、映像光を鉛直方向に拡散させて鉛直方向の視野角を広げることができる。このように、レンチキュラーレンズ部の単位レンズの並列方向は、映像の視野角を広げたい方向によって適宜決定することができる。また、レンチキュラーレンズ部１５では上記のように単位レンズ１６の並列方向に光が拡散されるが、拡散層１７では等方的に光が拡散されるため、透過型スクリーン１０によれば、単位レンズ１６の並列方向以外の方向にもある程度視野角を広げることができる。
【００５２】
ただし、リアプロジェクション表示装置を自動車に搭載する場合は、レンチキュラーレンズ部の単位レンズが水平方向に並列されていることが好ましい。リアプロジェクション表示装置は、出光面を車内から視認可能なように自動車に搭載することができる。例えば、リアプロジェクション表示装置を自動車のダッシュボードに搭載することができる。このとき、リアプロジェクション表示装置の映像光が鉛直方向に拡散されると、フロントガラスなどに写り込むなどの不具合を生じる虞がある。一方、運転席や助手席からダッシュボードに搭載されたリアプロジェクション表示装置の映像光を視認するためには、リアプロジェクション表示装置の映像光が水平方向に拡散されて水平方向の視野角が広げられていることが好ましい。したがって、リアプロジェクション表示装置を自動車に搭載する場合は、レンチキュラーレンズ部の単位レンズが水平方向に並列されていることが好ましい。
【符号の説明】
【００５３】
１  リアプロジェクション表示装置（表示装置）
２  筐体
３  映像光源
１０  透過型スクリーン
１１  基材層
１２  ハードコート層
１３  レンチキュラーレンズ層
１４  基部
１５  レンチキュラーレンズ部
１６  単位レンズ
１７  拡散層
２１  フレネルレンズ部
２２  基部
２３  フレネルレンズ
２４  単位レンズ
【図１】
2014199316.tif 000003
【図２】
2014199316.tif 000004
【図３】
2014199316.tif 000005
【図４】
2014199316.tif 000006
【図５】
2014199316.tif 000007